(57)【要約】      （修正有）【課題】スマートホーンなどの動画を立てた状態で視聴できる携帯に便利な折りたたみ式カード型スタンドを提供する。【解決手段】主プラスチック板２の一端が、プラスチック基板１の一端に接着され、止めプラスチック板３の一端が、プラスチック基板１の他の一端に接着されていて、主プラスチック板２と止めプラスチック板３の開き角度を保つためにテグス５，６を使用し、主としてスマートホーンなどの動画を見やすく立てた状態で使用し、且つスタンドを使用しない時は、主プラスチック板２と止めプラスチック板３を閉じプラスチック板４を使用して閉じた状態にしておくことができるカード型スタンド。【選択図】図１
0003185085.tif 000002
【実用新案登録請求の範囲】
【請求項１】
スタンド底面となる、カード状のプラスチック基板と、支持体を支える主プラスチック板、当該支持体の滑り出し防止用の止めプラスチック板、前記主プラスチック板と前記止めプラスチック板を、閉じるための閉じプラスチック板と,テグスからなる、カード型スタンドであって、
前記主プラスチック板は、その一端が、前記プラスチック基板の一端に接着され、当該接着部分に隣接して折り曲げ用溝を設け、且つ他方端となる、先端部下部に突出するような傾斜又は段差を設け、
前記止めプラスチック板は、その一端が、前記プラスチック基板の他の一端に接着され、当該接着部分に隣接して折り曲げ用溝を設け、且つ他方端となる、先端部下部に突出するような傾斜又は段差を設け、
前記閉じプラスチック板は、その両端上部に、突出するような傾斜又は段差を形成した上、前記主プラスチック板と前記止めプラスチック板の間に位置し、
前記閉じプラスチック板の、１つの傾斜又は段差には、前記主プラスチックの傾斜又は段差が係合するように、前記閉じプラスチック板の、他の傾斜又は段差には、前記止めプラスチック板の傾斜又は段差が係合するように、それぞれ前記３枚のプラスチック板が配置され、
且つ、前記プラスチック基板と前記主プラスチック板の開き角度と、前記プラスチック基板と前記止めプラスチック板の開き角度を、保つためにテグスを使用していることを特徴とするカード型スタンド。
【請求項２】
プラスチック基板と主プラスチック板の、開き角度を保つために、前記プラスチック基板に一端が接着され、他の一端が前記主プラスチック板に接着された、第一テグスと、
前記プラスチック基板と止めプラスチック板の、開き角度を保つために、前記プラスチック基板に一端が接着され、他の一端が前記止めプラスチック板に接着された、第二テグスを有することを、特徴とする請求項１に記載のカード型スタンド。
【請求項３】
プラスチック基板と主プラスチック板の開き角度を可変にするために、前記主プラスチック板に、一端が接着された第三テグスの他の一端を、前記プラスチック基板に上から貫通させ、閉じプラスチック板を挟んで、再び前記プラスチック基板に下から貫通させ、
次に止めプラスチック板に下から貫通させ、再び前記止めプラスチック板の溝部分に上から貫通させ、外部に出る請求項１又は２に記載のカード型スタンド。
【考案の詳細な説明】
【技術分野】
【０００１】
本考案は、カード型スタンドに関するものであり、主として携帯電話付属品として、携帯電話を立てるために使用する、カード型スタンドとして開発された。
【背景技術】
【０００２】
従来は支持体を支える部分が、固定式であり視聴と、携帯に不便さがあった。
【考案の概要】
【考案が解決しようとする課題】
【０００３】
本考案の主な目的は、主としてスマートホーンなどの動画を見る時に使用するスタンドで、
従来の不便さを取りの除き、携帯に便利な折りたたみ式カード型スタンドを提供することである。
【課題を解決するための手段】
【０００４】
本考案のカード型スタンドは、スタンド底面となる、カード状のプラスチック基板と、支持体を支える主プラスチック板、当該支持体の滑り出し防止用の止めプラスチック板、前記主プラスチック板と前記止めプラスチック板とを閉じるための、閉じプラスチック板とテグスからなるカード型スタンドである、
前記主プラスチック板は、その一端が前記プラスチック基板の一端に接着され、当該接着部分に隣接した部分に,折り曲げ用溝を設け、且つ他方端となる、先端部下部に突出するような傾斜又は段差があり、
前記止めプラスチック板はその一端が、前記プラスチック基板の他の一端に接着され、当該接着部分に隣接した部分に、折り曲げ用溝を設け、且つ他方端となる、先端部下部に突出するような傾斜又は段差があり、
前記閉じプラスチック板は、両端の上部が突出すような傾斜又は段差を形成した上、前記主プラスチック板と前記止めプラスチック板の間に位置する、
前記閉じプラスチック板の一つの傾斜又は段差には、前記主プラスチック板の傾斜又は段差が係合するように、前記の閉じプラスチック板の他の傾斜又は段差には、前記止めプラスチック板の傾斜又は段差が係合するように、それぞれ前記３枚のプラスチック板が配置され、
且つ前記プラスチック基板と前記主プラスチック板の開き角度と、前記プラスチック基板と前記止めプラスチック板の開き角度を、保つためにテグスを使用していることが特徴のカード型スタンドである。
【考案の効果】
【０００５】
平面的なカード状態のスタンドを立体的にすることにより、スマートホーンなどを見やすい状態にして、動画などを楽しむためのものであり、且つプラスチック基板と主プラスチック板の開き角度を可変にすることにより、より極め細やかな制御を可能にし、且つクレジットカードと同程度のサイズにした場合は、より携帯に便利になる。
【図面の簡単な説明】
【０００６】
【図１】本考案の主プラスチック板が、開いた状態の斜視図である。
【図２】本考案の主プラスチック板が閉じた状態であって、（A）は平面図で、（B）は背面図で、（C）は右側面図で、（D）は正面図である。
【図３】本考案の止めプラスチック板と、主プラスチック板の開き角度を保つための、テグス詳細図である。
【図４】本考案の閉じプラスチック板、傾斜溝の詳細図である。
【図５】本考案の主プラスチック板溝と、止めプラスチック板溝の詳細図である。
【図６】本考案の主プラスチック板の、開き角度を可変にした斜視図である。
【図７】本考案の止めプラスチック板と、主プラスチック板の開き角度を可変とした、テグス詳細図である。
【図８】本考案の使用方法の説明図である。
【実施例】
【０００７】
図1は、本考案の主プラスチック板を開いた状態の斜視図である。図に示されるように、プラスチック基板１、支持体を支える前記主プラスチック板２、当該支持体の滑り出し防止用の止めプラスチック板３、前記主プラスチック板２と前記止めプラスチック板３を,閉じるための閉じプラスチック板4、前記プラスチック基板１と前記主プラスチック板２の、開き角度を保つための第一テグス５と、前記プラスチック基板１と前記止めプラスチック板３の、開き角度を保つための第二テグス６からなる。
【０００８】
図２は、本考案の主プラスチック板２が閉じた状態の図面であって、（Ａ）は平面図、（Ｂ）は背面図、（Ｃ）は右側面図、（Ｄ）は正面図である。図に示されるように、プラスチック基板１と、支持体を支える前記主プラスチック板２、当該支持体の滑り出し防止用の止めプラスチック板３、前記主プラスチック板２と前記止めプラスチック板３の、間に位置する閉じプラスチック板４とからなり、
且つ前記閉じプラスチック板４の、一つの傾斜又は段差は４−１、前記主プラスチック板２の、傾斜又は段差が係合するように２−１、
前記閉じプラスチック板４の、他の傾斜又は段差は４−２、前記止めプラスチック板３の、傾斜又は段差が係合するように３−１、それぞれ前記３枚のプラスチック板２，３，４が配置されている。
【０００９】
図３は、本考案の主プラスチック板２の開き角度を保つためのテグス詳細図である。図に示されるように、プラスチック基板１と前記主プラスチック板２の開き角度を保つために、前記プラスチック基板１に一端が接着され、他の一端が前記主プラスチック板１に接着された第一テグス５と、
前記プラスチック基板と止めプラスチック板３の開き角度を保つために、前記プラスチック基板１に一端が接着され、他の一端が前記主プラスチック板２に接着された第二テグス６である。
【００１０】
図４は,本考案の閉じプラスチック板４の傾斜溝詳細図である。図に示されるように、前記閉じプラスチック板４は、両端の上部が突出するような傾斜又は段差４−１，４−２を形成した上、主プラスチック板２と止めプラスチック板３の間に位置し、
前記閉じプラスチック板４の一つの傾斜又は段差４−１は、前記主プラスチック板２の傾斜又は段差２−１が係合するように、前記閉じプラスチック板４の他の傾斜又は段差４−２は、前記止めプラスチック板３の傾斜又は段差３−１が係合するように、それぞれ前記３枚のプラスチック板２，３，４ざ配置されている。
【００１１】
図５は、本考案の主プラスチック板２と止めプラスチック板３の溝詳細図である。図に示されるように、プラスチック基板１の一端と、前記主プラスチック板２の一端が接着され、当該接着部分に隣接して、折り曲げ用溝２−２を設け、
前記プラスチック基板１の他の一端と、前記止めプラスチック板３の他の一端が接着され、当該接着部分に隣接して、折り曲げ用溝３−２を設けている。
【００１２】
図６は、本考案の主プラスチック板２の、開き角度を可変にした斜視図である。図に示されるように、プラスチック基板１、支持体を支える前記主プラスチック板２、当該支持体の滑り出し防止用の止めプラスチック板３、前記主プラスチック板２と前記止めプラスチック板３を、閉じるための閉じプラスチック板４、前記プラスチック基板１と前記主プラスチック板２の、開き角度を可変にするための第三テグス７からなる。
【００１３】
図７は、本考案の主プラスチック板２の、開き角度を可変にするためのテグス詳細図である。図に示されるように、プラスチック基板１と前記主プラスチック板２の、開き角度を可変にするために、前記主プラスチック板２に一端が接着された、第三テグス７の他の一端を、前記プラスチック基板１に上から貫通させて７−１、次に閉じプラスチック板４を挟んで、再び前記プラスチック基板１に下から貫通させて７−２、次に止めプラスチック板３に下から貫通させて７−３、再び前記止めプラスチック板３の溝部分に上から貫通させる７−４、外部に出る。
【００１４】
図８は、本考案の使用法を示す説明図である。図に示されるように、、プラスチック基板（Ｇ）１に一端が接着された主プラスチック板（Ｇ）２を開き、次に他の一端が接着された止めプラスチック板（Ｇ）３を開き、支持体を支える前記主プラスチック板（Ｇ）２と、当該支持体の滑り出し防止用の前記止めプラスチック板（Ｇ）３との間に、主としてスマートホーンなどの動画を見やすい立てた状態で使用し（Ｆ）、且つスタンドを使用しない時は、前記主プラスチック（Ｅ）２と前記止めプラスチック板（Ｅ）３を閉じた状態（Ｅ）にしておくための、閉じプラスチック板（Ｅ）４からなる。
【符号の説明】
【００１５】
１・・・プラスチック基板
２・・・主プラスチック板
３・・・止めプラスチック板
４・・・閉じプラスチック板
５・・・第一テグス
６・・・第二テグス
７・・・第三テグス
２−２・・・主プラスチック板溝
３−２・・・止めプラスチック板溝
２−１、３−１、４−１、４−２ ・・・閉じプラスチック板係合部分
7−１，7−２，7−３，7−４・・・テグス７貫通孔
【図１】
0003185085.tif 000003
【図２】
0003185085.tif 000004
【図３】
0003185085.tif 000005
【図４】
0003185085.tif 000006
【図５】
0003185085.tif 000007
【図６】
0003185085.tif 000008
【図７】
0003185085.tif 000009
【図８】
0003185085.tif 000010
【手続補正書】
【提出日】平成25年6月19日(2013.6.19)
【手続補正１】
【補正対象書類名】図面
【補正対象項目名】全図
【補正方法】変更
【補正の内容】
【図１】
0003185085.tif 000011
【図２】
0003185085.tif 000012
【図３】
0003185085.tif 000013
【図４】
0003185085.tif 000014
【図５】
0003185085.tif 000015
【図６】
0003185085.tif 000016
【図７】
0003185085.tif 000017
【図８】
0003185085.tif 000018